(57)【要約】【課題】光学シートの熱膨張、収縮を可撓体の撓みにより吸収し、また、埃が侵入する隙間を可撓体の撓みにより防ぐことができる光源装置及び表示装置を提供する。【解決手段】表示パネル７の裏側に配置される発光灯１と、該発光灯１及び表示パネル７の間に配置される光学シート２と、発光灯１及び光学シート２を支持する箱形の支持体３と、光学シート２の周縁部を支持体３の開放部に取付ける取付枠体４とを備え、該取付枠体４を、光学シート２の周縁部表面と対向する環状板部４１、及び該環状板部４１の外周縁に連なる筒部４２を有する構成とし、環状板部４１の内面に環状溝４３を設け、光学シート２の周縁部を支持体３に押付ける可撓体５を前記環状溝４３に保持し、光学シート２の熱膨張、収縮を吸収し、且つ埃の侵入を防ぐようにした。【選択図】図１
2007193238.tif 000002
【特許請求の範囲】
【請求項１】
表示パネルの裏側に配置される発光灯と、該発光灯及び前記表示パネルの間に配置される光学シートとを支持する支持体を備える光源装置において、前記光学シートの周縁部を前記支持体に押付ける可撓体を備えることを特徴とする光源装置。
【請求項２】
前記光学シートの周縁部を前記支持体に取付ける取付枠体を備え、該取付枠体に前記可撓体を設けてある請求項１記載の光源装置。
【請求項３】
前記取付枠体は環状溝を有し、該環状溝に前記可撓体を保持してある請求項２記載の光源装置。
【請求項４】
前記取付枠体は内周部の複数の周方向位置に嵌合突起を有し、前記可撓体は前記嵌合突起が嵌入される嵌合孔を有する請求項２記載の光源装置。
【請求項５】
前記可撓体は前記表示パネルの裏面に接触すべき厚さを有する請求項４記載の光源装置。
【請求項６】
表示パネルと、該表示パネルの裏側に配置された請求項１乃至５のいずれか一つに記載の光源装置とを備えることを特徴とする表示装置。
【請求項７】
前記可撓体は前記表示パネルの裏面に設けてある請求項６記載の表示装置。
【請求項８】
前記表示パネルは環状溝を有し、該環状溝に前記可撓体を保持してある請求項６又は７記載の表示装置。
【発明の詳細な説明】
【技術分野】
【０００１】
本発明は液晶表示装置等の表示装置の光源として使用される光源装置及びこれを備える表示装置に関する。
【背景技術】
【０００２】
テレビ等の表示装置は、画像を表示する表示パネルの裏側に光源装置が配置される。
【０００３】
光源装置は上下に離隔して並置される複数本の蛍光管と、夫々の蛍光管を収容支持する支持体と、該支持体内に収容され、蛍光管が発光した光を反射させる反射シートと、蛍光管及び表示パネルの間に配置され、前記反射シートが反射した光を拡散する反射偏光板、プリズムシート、拡散シート、拡散板等が積層された光学シートと、該光学シートの周縁部を前記支持体に取付ける取付板とを備える（例えば、特許文献１参照）。
【０００４】
図５は従来の光源装置が表示装置に組込まれた構成を示す断面図である。支持体１００は直方体をなす箱部の開放縁に、光学シート１０１に沿う扁平の支持面を有する環状板部１０２が設けられており、前記支持面に光学シート１０１の周縁部が支持されている。また、光学シート１０１の周縁部を支持体１００に取付ける取付板１０３は断面Ｌ字形をなし、一片が前記環状板部１０２の外周側に螺子止めされ、他片が光学シート１０１の周縁部と対向し、光学シート１０１を支持体１００の環状板部１０２に取付けている。
【０００５】
光学シート１０１は一般に合成樹脂シートにより形成されているが、光学シート１０１を支持する支持体１００内には複数の発光灯１０４が収容されており、発光灯１０４が発光する光により光学シート１０１が熱膨張する。また、発光灯１０４の点滅による温度変化により光学シート１０１が収縮する。従って、光学シート１０１の周縁部が支持体１００に押圧固定された場合、光学シート１０１の熱膨張、及び収縮を吸収することができず、光学シート１０１に皺が発生し、この皺が表示パネル１０５の表示面に画像ムラとして現れるため、前記取付板１０３の他片と光学シート１０１の周縁部との間に僅少の隙間を設け、光学シート１０１の熱膨張、収縮を前記隙間で吸収し、光学シート１０１に皺が発生するのを抑制するように構成されている。
【０００６】
図６は従来の光源装置が表示装置に組込まれた他の構成を示す断面図である。この光源装置は、前記光学シート１０１の周縁部表面と対向する環状板部１０６、及び該環状板部１０６の外周縁に連なり前記環状板部１０２の外周側に取付けられる筒部１０７を有する取付枠体１０８を備え、該取付枠体１０８の環状板部１０６と光学シート１０１の周縁部との間に僅少の隙間を設けてあり、また、パネル本体１０９及び該パネル本体１０９の周縁部を挟んで保持した内外の保持枠体１１０，１１１を有する表示パネル１１２の内側の保持枠体１１０の裏面に環状の防塵部材１１３を設け、取付枠体１０８及び表示パネル１１２間の隙間をなくするように構成されている。
【特許文献１】特開２００５−２８５７１４号公報
【発明の開示】
【発明が解決しようとする課題】
【０００７】
ところが、図５及び図６のように光学シート１０１を支持体１００に取付ける取付板１０３又は取付枠体１０８と光学シート１０１の周縁部との間に隙間が設けられる構成にあっては、支持体１００の外部の埃が前記隙間から光学シート１０１及び表示パネル１１２間の空間に侵入し易いため、取付板１０３又は取付枠体１０８と光学シート１０１との間の隙間を高精度に管理し、光学シート１０１の熱膨張、収縮を吸収でき、しかも、埃を侵入し難くすることが要求されており、改善策が要望されていた。
【０００８】
本発明は斯かる事情に鑑みてなされたものであり、主たる目的は光学シートの周縁部を支持体に押付ける可撓体を設けることにより、光学シートの熱膨張、収縮を可撓体の撓みにより吸収し、また、埃が侵入する隙間を可撓体の撓みにより防ぐことができる光源装置及び表示装置を提供することにある。
【０００９】
また、他の目的は光学シートの周縁部を支持体に取付ける取付枠体を設け、該取付枠体に可撓体を設けることにより、可撓体を備える割に組立て作業性を向上できる光源装置及び表示装置を提供することにある。
【００１０】
また、他の目的は取付枠体に環状溝を設け、該環状溝に可撓体を保持することにより、光学シートの形態に対応した位置に可撓体を簡易に設けることができる光源装置及び表示装置を提供することにある。
【００１１】
また、他の目的は取付枠体の内周部に複数の嵌合突起を設け、該嵌合突起が嵌入される嵌合孔を可撓体に設けることにより、取付枠体が取付けられるまでの間に可撓体が不測に脱落するのを防ぐことができる光源装置及び表示装置を提供することにある。
【００１２】
また、他の目的は可撓体を表示パネルの裏面に接触すべき厚さとすることにより、取付枠体及び表示パネルの間から光学シート及び表示パネル間の空間に埃が侵入するのを防ぐことができる光源装置及び表示装置を提供することにある。
【００１３】
また、他の目的は可撓体を表示パネルの裏面に設けることにより、可撓体を備える割に組立て作業性を向上できる表示装置を提供することにある。
【００１４】
また、他の目的は表示パネルに環状溝を設け、該環状溝に可撓体を保持することにより、光学シートの形態に対応した位置に可撓体を簡易に設けることができる表示装置を提供することにある。
【課題を解決するための手段】
【００１５】
本発明に係る光源装置及び表示装置は、表示パネルの裏側に配置される発光灯と、該発光灯及び前記表示パネルの間に配置される光学シートとを支持する支持体を備える光源装置において、前記光学シートの周縁部を前記支持体に押付ける可撓体を備えることを特徴とする。
【００１６】
この発明にあっては、光学シートの周縁部を可撓体が押付けて支持体に取付けるため、光学シートが熱膨張するとき、この熱膨張に追従して可撓体が伸長し、熱膨張を吸収することができ、また、光学シートが収縮するとき、この収縮に追従して可撓体が伸長し、収縮を吸収することができる。また、光学シートの周縁部を可撓体が弾性的に押付けるため、光学シートを取付ける部材と光学シートとの間の隙間をなくすることができ、光学シート及び表示パネル間の空間に埃が侵入するのを防ぐことができる。
【００１７】
また、本発明に係る光源装置及び表示装置は、前記光学シートの周縁部を前記支持体に取付ける取付枠体を備え、該取付枠体に前記可撓体を設けてあることを特徴とする。
【００１８】
この発明にあっては、光学シートの取付作業を行うことにより可撓体を組み込むことができるため、可撓体を備える割に組立て作業性を向上できる。
【００１９】
また、本発明に係る光源装置及び表示装置は、前記取付枠体は環状溝を有し、該環状溝に前記可撓体を保持してあることを特徴とする。
【００２０】
この発明にあっては、可撓体を適正位置に確実に設けることができるため、光学シートの形態に対応した位置に可撓体を簡易に設けることができる。
【００２１】
また、本発明に係る光源装置及び表示装置は、前記取付枠体は内周部の複数の周方向位置に嵌合突起を有し、前記可撓体は前記嵌合突起が嵌入される嵌合孔を有することを特徴とする。
【００２２】
この発明にあっては、嵌合突起が嵌合孔に嵌入されているため、取付枠体が取付けられるまでの間に可撓体が不測に脱落するのを防ぐことができ、可撓体を確実に組み込むことができる。
【００２３】
また、本発明に係る光源装置及び表示装置は、前記可撓体は前記表示パネルの裏面に接触すべき厚さを有することを特徴とする。
【００２４】
この発明にあっては、取付枠体により光学シートを取付けたとき、可撓体を表示パネルの裏面に接触させることができるため、取付枠体及び表示パネルの間から光学シート及び表示パネル間の空間に埃が侵入するのを防ぐことができる。
【００２５】
また、本発明に係る表示装置は、前記可撓体は前記表示パネルの裏面に設けてあることを特徴とする。
【００２６】
この発明にあっては、表示パネルの取付作業を行うことにより可撓体を組み込むことができるため、可撓体を備える割に組立て作業性を向上できる。
【００２７】
また、本発明に係る表示装置は、前記表示パネルは環状溝を有し、該環状溝に前記可撓体を保持してあることを特徴とする。
【００２８】
この発明にあっては、可撓体を適正位置に確実に設けることができるため、光学シートの形態に対応した位置に可撓体を簡易に設けることができる。
【発明の効果】
【００２９】
以上詳述したように本発明によれば、光学シートが熱膨張するとき、この熱膨張に追従して可撓体が伸長し、熱膨張を吸収することができ、また、光学シートが収縮するとき、この収縮に追従して可撓体が伸長し、収縮を吸収することができる。しかも、光学シートを取付ける部材と光学シートとの間の隙間を、熱膨張を吸収する弾性体によりなくすることができるため、部品点数を増やすことなく光学シート及び表示パネル間の空間に埃が侵入するのを防ぐことができる。
【００３０】
また、本発明によれば、光学シートの取付作業を行うことにより可撓体を組み込むことができるため、可撓体を備える割に組立て作業性を向上できる。
【００３１】
また、本発明によれば、可撓体を適正位置に確実に設けることができるため、光学シートの形態に対応した位置に可撓体を簡易に設けることができる。
【００３２】
また、本発明によれば、嵌合突起が嵌合孔に嵌入されているため、取付枠体が取付けられるまでの間に可撓体が不測に脱落するのを防ぐことができ、可撓体を確実に組み込むことができる。
【００３３】
また、本発明によれば、取付枠体により光学シートを取付けたとき、可撓体を表示パネルの裏面に接触させることができるため、取付枠体及び表示パネルの間から光学シート及び表示パネル間の空間に埃が侵入するのを防ぐことができる。
【００３４】
また、本発明によれば、表示パネルの取付作業を行うことにより可撓体を組み込むことができるため、可撓体を備える割に組立て作業性を向上できる。
【００３５】
また、本発明によれば、可撓体を適正位置に確実に設けることができるため、光学シートの形態に対応した位置に可撓体を簡易に設けることができる。
【発明を実施するための最良の形態】
【００３６】
以下本発明をその実施の形態を示す図面に基づいて詳述する。
実施の形態１
図１は本発明に係る光源装置が表示装置に組込まれた構成を示す断面図である。図示した光源装置は、複数本が並置される円筒形をなす発光灯１と、該発光灯１を収容支持し、且つ拡散板等の光学シート２の周縁部を支持する箱形をなす支持体３と、光学シート２の周縁部を前記支持体３に取付ける取付枠体４と、光学シート２の周縁部を支持体３に押付ける可撓体５と、支持体３内に収容された発光灯１が発光した光を支持体３の開放側へ反射させる反射シート６とを備える。
【００３７】
発光灯１は両端部に電極を有する冷陰極管であり、支持体３内の両側に並設された凹形保持部に両端部が保持される。
【００３８】
支持体３は直方体をなすアルミニウム製の枠部材３１と、周縁部が枠部材３１に結合され該枠部材３１の裏側端を閉鎖するアルミニウム製の蓋板３２とを有し、枠部材３１の表側端に、光学シート２の周縁部を支持する支持面３３ａを有する環状板部３３と、該環状板部３３の外周部から前方へ立上り、取付枠体４が嵌合される環状の立上部３４とが設けられている。蓋板３２は枠部材３１に対応する大きさの板部及び該板部の外縁に連なる筒状のフランジを有しており、該フランジが枠部材３１に取外し可能に結合されている。
【００３９】
取付枠体４は光学シート２の周縁部表面と対向する環状板部４１、及び該環状板部４１の外周縁に連なり立上部３４に外嵌される筒部４２を有する直方体をなしており、環状板部４１の内面に環状溝４３が設けられている。取付枠体４はアルミニウム又は合成樹脂製であり、一体に成形されている。
【００４０】
可撓体５は光学シート２の周縁部表面に接触する扁平部５１と、該扁平部５１に連り、環状溝４３に嵌入される凸条部５２とを有し、合成ゴム、柔軟性合成樹脂等の可撓性を有する材料により直方形の輪に形成されており、凸条部５２を環状溝４３に嵌入することにより取付枠体４に保持してある。
【００４１】
光学シート２は反射偏光板２１、プリズムシート２２、拡散シート２３、拡散板２４等が積層されており、表示パネル７に対応する大きさの直方体をなしている。
【００４２】
以上のように構成された光源装置は、開放縁が上向となるように作業台に載置された支持体３内に反射シート６及び発光灯１を組み込んだ後、光学シート２の拡散板２４、拡散シート２３、プリズムシート２２及び反射偏光板２１を順次支持体３の支持面３３ａに載置して支持する。次に、環状板部４１の環状溝４３に可撓体５が保持された取付枠体４の筒部４２を支持体３の立上部３４に外嵌し、取付枠体４を支持体３に取付けるとともに、可撓体５の扁平部５１を反射偏光板２１の周縁部表面に接触させ、可撓体５を若干撓ませつつ光学シート２を支持面３３ａに押付け、該光学シート２を取付ける。
【００４３】
このように組立てられた光源装置は、取付枠体４の取付けにより可撓体５が撓み、該可撓体５が光学シート２を支持面３３ａに押付けているため、光学シート２が熱膨張するとき、該熱膨張による光学シート２の伸長に追従して可撓体５の扁平部５１が伸長することになり、光学シート２の熱膨張を吸収することができる。また、発光灯１の点滅による温度変化により光学シート２が収縮するとき、この収縮に追従して可撓体５の扁平部５１が伸長することになり、光学シート２の収縮を吸収することができる。しかも、可撓体５が光学シート２を弾圧しているため、光学シート２及び取付枠体４間の隙間をなくすることができ、この隙間から光学シート２及び表示パネル７間の空間に埃が侵入するのを防ぐことができる。また、可撓体５は取付枠体４に保持されているため、可撓体５を組込む作業が必要でなく、取付枠体４により光学シート２を取付ける作業により光学シート２の熱膨張及び収縮の吸収と、埃の侵入防止とを達成することができる。
【００４４】
実施の形態２
図２は本発明に係る光源装置が表示装置に組込まれた他の構成を示す断面図、図３は要部の分解斜視図である。この光源装置は、取付枠体４の環状板部４１の内周部に複数の嵌合突起４４を設け、該嵌合突起４４が嵌入される複数の嵌合孔５３を可撓体５に設けたものである。
【００４５】
嵌合突起４４は環状板部４１の複数の周方向位置に一体に突設されている。可撓体５は環状の筒形をなし、内外周面を貫通する嵌合孔５３が複数の周方向位置に設けられている。また、筒形をなす可撓体５は両端間の厚さが、表示パネル７の裏面に接触すべき厚さになっている。
【００４６】
この実施の形態２にあっては、嵌合突起４４を嵌合孔５３に嵌入することにより、可撓体５を取付枠体４に保持してある。従って、取付枠体４の筒部４２を支持体３の立上部３４に外嵌し、取付枠体４を支持体３に取付けることにより可撓体５の一端部を反射偏光板２１の周縁部表面に接触させ、可撓体５を若干撓ませつつ光学シート２を支持面３３ａに押付け、該光学シート２を取付けることができる。
その他の構成及び作用は実施の形態１と同様であるため、同様の部品については同じ符号を付し、その詳細な説明及び作用効果の説明を省略する。
【００４７】
以上のように構成された光源装置は、図１、２に示すように液晶表示装置等の表示装置の光源として使用される。
この表示装置はテレビ画像を表示する表示パネル７と、該表示パネル７の裏側に配置された光源装置と、該光源装置の発光灯１及び表示パネル７の間に配置された光学シート２と、表示パネル７の周縁部を取囲む四角形をなすフロントキャビネットと、光源装置を覆うバックキャビネットとを備える液晶テレビ、換言すれば液晶表示装置である。
【００４８】
表示パネル７は、前側に画像表示面を有し直方体をなすパネル本体７１と、該パネル本体７１の周縁部を挟んで保持した四角形をなす内外の保持枠体７２，７３とを備え、複数のボルトにより保持枠体７２，７３が支持体３に取着されている。
【００４９】
このように構成された表示装置は、光学シート２を光源装置に組み込んだ後、表示パネル７を光学シート２上に載置し、表示パネル７の保持枠体７２，７３を複数のボルトにより支持体３に取着し、スタンド、フロントキャビネット、バックキャビネット等を取着する。
【００５０】
図１に示す表示装置は、内側の保持枠体７２の裏面が取付枠体４の環状板部４１の外面に接触し、取付枠体４及び表示パネル７間の隙間をなくしている。
【００５１】
また、図２に示す表示装置は、内側の保持枠体７２の裏面が可撓体５の他端に接触し、可撓体５の他端部が僅かに撓んでおり、取付枠体４及び表示パネル７間の隙間をなくしている。
【００５２】
図４は本発明に係る光源装置が表示装置に組込まれた他の構成を示す断面図である。この表示装置は内側の保持枠体７２の裏側に、環状溝８１を有する保持部材８を設け、該保持部材８の環状溝８１に扁平部５１及び凸条部５２を有する可撓体５を嵌入保持したものである。
【００５３】
この実施の形態にあっては、表示パネル７に可撓体５が保持されているため、表示パネル７を光学シート２の支持体３に装着することにより、可撓体５の扁平部５１が反射偏光板２１の周縁部表面に接触し、可撓体５を若干撓ませつつ光学シート２を支持面３３ａに押付け、該光学シート２を取付けることができる。従って、光学シート２及び表示パネル７間の隙間をなくすることができる。
【００５４】
尚、以上説明した実施の形態では可撓体５を環状に形成したが、その他、可撓体５は例えば帯状に形成し、環状溝４３又は８１に嵌入することにより、無端となるようにしてもよい。
【００５５】
また、以上説明した実施の形態では、環状溝４３、８１を設け、該環状溝４３、８１に可撓体５を嵌入して保持したが、その他、環状溝４３、８１をなくし、加硫接着等により保持してもよい。また、環状又は帯状に成形された可撓体５とする他、例えばシーラント等のシーリング材を環状溝４３、８１に注入して可撓体を形成したり、前記したりシーリング材を扁平部に付着させて可撓体を形成したり、加硫成形することにより可撓体５を形成してもよい。
【図面の簡単な説明】
【００５６】
【図１】本発明に係る光源装置が表示装置に組込まれた構成を示す断面図である。
【図２】本発明に係る光源装置が表示装置に組込まれた他の構成を示す断面図である。
【図３】本発明に係る光源装置の要部の分解斜視図である。
【図４】本発明に係る光源装置が表示装置に組込まれた他の構成を示す断面図である。
【図５】従来の光源装置が表示装置に組込まれた構成を示す断面図である。
【図６】従来の光源装置が表示装置に組込まれた他の構成を示す断面図である。
【符号の説明】
【００５７】
１    発光灯
２    光学シート
３    支持体
４    取付枠体
４３  環状溝
４４  嵌合突起
５    可撓体
５３  嵌合孔
７    表示パネル
８１  環状溝
【図１】
2007193238.tif 000003
【図２】
2007193238.tif 000004
【図３】
2007193238.tif 000005
【図４】
2007193238.tif 000006
【図５】
2007193238.tif 000007
【図６】
2007193238.tif 000008